(57)【要約】      （修正有）【課題】螺旋パイプを組合せて高さ調整を具えた新型鉄筋接続装置を提供する。【解決手段】新型鉄筋接続装置はその一端に設置される第一ねじ山部と、テーパー状本体であって前記第一ねじ山部が前記テーパー状本体の軸のテーパー頂部に設置されることと、前記テーパー状本体の底部に設置されるプレート構造と、前記新型鉄筋接続装置の他端に設置される第二ねじ山部であって、前記プレート構造と接続され、前記第一ねじ山部と第二ねじ山部の円心が同軸となることと、少なくとも一つのスリーブであって、前記スリーブの一端は前記第一ねじ山部或いは前記第二ねじ山部と適合する内ねじ山部を有し、前記スリーブの他端は鉄筋と接続することを含む。【選択図】図２
0003142762.tif 000002
【実用新案登録請求の範囲】
【請求項１】
新型鉄筋接続装置の一端に設置される第一ねじ山部と、
テーパー状本体であって、前記第一ねじ山部が前記テーパー状本体の軸のテーパー頂部に設置されることと、
前記テーパー状本体の底部に設置されるプレート構造と、
前記新型鉄筋接続装置の他端に設置される第二ねじ山部であって、前記プレート構造と接続され、前記第一ねじ山部と第二ねじ山部の円心が同軸となることと、
少なくとも一つのスリーブであって、前記スリーブの一端は前記第一ねじ山部或いは前記第二ねじ山部と適合する内ねじ山部を有し、前記スリーブの他端は鉄筋と接続することを含むことを特徴とする新型鉄筋接続装置。
【請求項２】
前記第一ねじ山部の直径は前記第二ねじ山部の直径とは異なることを特徴とする請求項１に記載の接続装置。
【請求項３】
前記スチールパイプは螺旋パイプ（screw
pipe）であることを特徴とする請求項１に記載の接続装置。
【考案の詳細な説明】
【技術分野】
【０００１】
本考案は鉄筋接続装置に関し、特に螺旋パイプを組合せて高さ調整を具えた接続装置システムを構築することに関する。
【背景技術】
【０００２】
図1の従来技術で示すように、鉄筋接続装置１００は通常内ねじ山２００と鉄筋のねじ山部３００とで螺接して鉄筋を接続しており、従来では鉄筋接続装置１００は施工場所のニーズに合うように事前にその長さを設計しなければ高さを調整することができなかったので、完成した鉄筋接続装置が工事現場で使用不可となるような事態がよく起きていた。
【０００３】
鉄筋接続装置１００が短すぎる場合、高さ調整のために鉄筋のねじ山部３００の螺接部分を短縮して高くするが、グラウティングの後、この構造には外部応力に対抗するために一定の剛性を有するものの、螺接部分を短縮したことで地震作用のような強烈な外部応力によっていとも容易く破壊されてしまうこととなり、こうなると建築構造の強度への影響は必至である。
【０００４】
このほか、前記鉄筋接続装置１００は建築構造本体と接合してさらにその安定性を増すようなその他の構造がなく、地震が頻発する地域において、こうした簡易な鉄筋接続装置では構造の安定性や施工時における実行可能性を提供することができない。
【０００５】
こうしたことに鑑みて、本考案人は上記の欠点を改善しこれを解決するために、深く研究して学術理論を運用し、合理的な設計で且つ効果的に上記欠点を改善した本考案を提示する。
【考案の開示】
【考案が解決しようとする課題】
【０００６】
本考案の主たる目的は、スチールパイプの機能によって鉄筋構造の高さを調整し、鉄筋構造をより弾力的に用いるための新型鉄筋接続装置及びそのシステムを提供することにある。
【０００７】
本考案の別途目的は、床板構造と接合して全体的な運用性を高める鉄筋接続装置とするための新型鉄筋接続装置及びそのシステムを提供することにある。
【０００８】
本考案の別途目的は、スリーブとねじ山部を組合せて仮の固定構造を形成して施工効率を高めるための新型鉄筋接続装置及びそのシステムを提供することにある。
【課題を解決するための手段】
【０００９】
新型鉄筋接続装置はその一端に設置される第一ねじ山部と、テーパー状本体であって前記第一ねじ山部が前記テーパー状本体の軸のテーパー頂部に設置されることと、前記テーパー状本体の底部に設置されるプレート構造と、前記新型鉄筋接続装置の他端に設置される第二ねじ山部であって、前記プレート構造と接続され、前記第一ねじ山部と第二ねじ山部の円心が同軸となることと、少なくとも一つのスリーブであって、前記スリーブの一端は前記第一ねじ山部或いは前記第二ねじ山部と適合する内ねじ山部を有し、前記スリーブの他端は鉄筋と接続することを含む。
【考案を実施するための最良の形態】
【００１０】
以下、添付図面を参照して本考案の実施の形態を詳細に説明する。
【実施例１】
【００１１】
図2で示すように、新型鉄筋接続装置システム１００は新型鉄筋接続装置２００と少なくとも一つのスリーブ３００からなり、また新型鉄筋接続装置２００は第一ねじ山部２１０、テーパー状本体２３０、プレート構造２５０及び第二ねじ山部２７０からなり、そのうち新型鉄筋接続装置２００の一端に取り付けた第一ねじ山部２１０はテーパー状本体２３０の軸のテーパー頂部に設置され、第一ねじ山部２１０に対向してプレート構造２５０は前記テーパー状本体２３０の底部に取り付け、さらに第一ねじ山部２１０に対向して、第二ねじ山部２７０は新型鉄筋接続装置２００の他端に取り付け、またプレート構造２５０と連結して第一ねじ山部２１０と第二ねじ山部２７０の円心を同軸とし、このほかに、第二ねじ山部２７０はプレート構造２５０の平面重心箇所を接続箇所として、第一ねじ山部２１０と第二ねじ山部２７０の軸心も施工基準や異なる設計ニーズに応じて柔軟に調整することができる。
【００１２】
また、新型鉄筋接続装置システム１００のスリーブ３００の一端は第一ねじ山部２１０又は第二ねじ山部２７０と適合する内ねじ山を具備し、それは螺接若しくはその他の類似効果をもたらす方式及びその混合組合せ方式を含み、溶接又は梱包などの方法でスリーブ３００と第一ねじ山部２１０又は第二ねじ山部２７０とを接続するが、前記スリーブ３００は鉄、鋼鉄、ステンレススチール若しくはその他の金属素材又は以上の金属合金素材で製作することもでき、且つ強化プラスチック若しくはその他の非金属素材で製作することもでき、その他端は鉄筋４００と接続する。
【００１３】
然しながら、本考案の新型鉄筋接続装置システム１００では、同様の号数と直径の鉄筋４００を使用して、異なる設計強度やニーズに応じて、異なる号数と直径の鉄筋４００の組合せで接続をして建築構造の強度を維持することで、その他の鉄筋接続装置を別途設計する必要が無いことから、本考案の新型鉄筋接続装置２００は異なるか又は同様の号数と直径の鉄筋４００の接続構造に応用することができ、また従来技術での接続装置の欠点を改善して、鉄筋４００の直径と号数を何れも小さくするものの、本考案の新型鉄筋接続装置２００はなおも断面強度を維持することができ、これにより全体の鉄筋４００の用量を削減でき、さらには同様の建築強度ではあるが、コストを節減する競争で優位に立てるのである。
【００１４】
図３で示すように、本考案の新型鉄筋接続装置システム１００では、さらに鉄筋４００とスリーブ３００を被覆すると共に、テーパー状本体２３０と接続するスチールパイプ５００を含み、前記スチールパイプ５００は螺旋パイプを含み、また空洞パイプ、ステンレスパイプ若しくはステンレス空洞パイプ等であってもよく、テーパー状本体２３０と接続するものの、それは固定方式に限られず、非固定方式で接続することもでき、またテーパー状本体２３０には目盛りが刻まれており、異なる設計ニーズや構造強度に対応するように、この目盛りはスチールパイプ５００の一端との接続位置に基づいて必要な高さ又は建築構造の高さを判断する。
【００１５】
また、前記テーパー状本体２３０とプレート構造２５０は一体成型若しくは溶接（摩擦圧接）、螺接或いはその他の類似効果をもたらす接続方法により接続することができ、第一ねじ山部２１０の直径は前記第二ねじ山部２７０の直径とは互いに異なるため、ねじ山部の直径サイズに基づいてスリーブ３００の内ねじ山部を柔軟に調整することができると共に、鉄筋４００の種類、号数又は直径を柔軟に調整することにより、工事現場での施工に実用的となり、且つ鉄筋の種類は異形棒鋼、切れ込みを入れた鉄筋、普通丸鋼に限られない。
【００１６】
このほか、新型鉄筋接続装置のプレート構造２５０は固定水平面６００に固定させ、前記水平面は建築床板、中空床板又はその他の類似効果をもたらす水平面構造を含み、前記固定方法は非固定方法に限らず、固定方法で互いに接続することもでき、また固定方法には螺接、溶接、梱包或いはその他の類似効果をもたらす方法及びその混合組合せ方法を含み、該床板構造と接続できるプレート構造２５０は建築面での安定性を改善し、多様な利用面での潜在性を有する該新型鉄筋接続装置を提供することができる。
【図面の簡単な説明】
【００１７】
【図１】従来技術の概略図である。
【図２】本考案の新型鉄筋接続装置の好ましい実施例の分解図である。
【図３】本考案の新型鉄筋接続装置システムの好ましい実施例の概略図である。
【符号の説明】
【００１８】
１００  新型鉄筋接続装置システム
２００  新型鉄筋接続装置
２１０  第一ねじ山部
２３０  テーパー状本体
２５０  プレート構造
２７０  第二ねじ山部
３００  スリーブ
４００  鉄筋
５００  スチールパイプ
６００  固定水平面
【図１】
0003142762.tif 000003
【図２】
0003142762.tif 000004
【図３】
0003142762.tif 000005